(57)【要約】【課題】アナログテレビ放送の受信からデジタルテレビ放送の受信に切り換わったときに短時間でデジタルテレビ放送の受信画面の表示を開始することができる構成により、受信処理の簡単な制御でアナログテレビ放送受信時にデジタルテレビ放送受信処理の動作クロックに起因した映像のノイズの影響を防止する。【解決手段】サブマイコン３ｄにより、アナログテレビ放送の受信時にフロントエンド部３ａのクロック生成部４の動作クロックの形成を停止してフロントエンド部３ａをスリープモードに制御し、デジタルテレビ放送受信処理の動作クロックに起因した映像のノイズの影響を防止する。【選択図】図１
2008135973.tif 000002
【特許請求の範囲】
【請求項１】
デジタルテレビ放送及びアナログテレビ放送を受信するテレビ放送受信装置において、デジタルテレビ放送及びアナログテレビ放送の受信選局機能を有し、受信チャンネルの選択に従ってデジタルテレビ放送又はアナログテレビ放送を受信するデジタル・アナログ共用のチューナ部と、デジタルテレビ放送の受信により前記チューナ部が出力する受信チャンネルのデジタル中間周波数出力をトランスポートストリームのデジタルデータに復調するフロントエンド部と、アナログテレビ放送の受信により前記チューナ部が復調出力する受信チャンネルのアナログ映像出力をデジタルデータに変換するビデオデコーダ部と、前記トランスポートストリームのデジタルデータ及び前記アナログ映像出力のデジタルデータの圧縮画像を伸張処理してベースバンドのデジタル映像出力を再生する画像デコーダ部と、前記各部の動作を制御する受信処理制御部とを備え、前記フロントエンド部が、発振形成した基準クロックをてい倍して前記デジタル中間周波数出力の復調の動作クロックを形成するクロック生成部を有し、かつ、前記受信処理制御部が、アナログテレビ放送の受信時に前記クロック生成部の前記動作クロックの形成を停止して前記フロントエンド部をスリープモードに制御するノイズ軽減制御手段を有することを特徴とするテレビ放送受信装置。
【請求項２】
請求項１に記載のテレビ放送受信装置において、前記クロック生成部は、前記基準クロックの発振回路部と、前記基準クロックのてい倍回路部とを備え、前記ノイズ軽減制御手段は、アナログテレビ放送の受信時に前記発振回路部、前記てい倍回路部の少なくともいずれか一方を動作停止に制御することを特徴とするテレビ放送受信装置。
【請求項３】
請求項１又は２に記載のテレビ放送受信装置において、前記受信処理制御部に、アナログテレビ放送の受信時に前記動作クロックのＫ次（Ｋは１を含む整数）の周波数が受信チャンネルの映像搬送波周波数を含む一定周波数範囲の周波数か否かを判別する周波数判別手段と、前記Ｋ次の周波数が前記一定周波数範囲外の周波数のときに前記ノイズ軽減制御手段による前記動作クロックの形成の停止を禁止する停止制限手段とを更に設けたことを特徴とするテレビ放送受信装置。
【発明の詳細な説明】
【技術分野】
【０００１】
本発明は、デジタルテレビ放送及びアナログテレビ放送を受信するテレビ放送受信装置に関し、詳しくは、デジタルテレビ放送受信処理の動作クロックに基づくアナログテレビ放送受信時の映像ノイズの軽減に関する。
【背景技術】
【０００２】
アナログテレビ放送からデジタルテレビ放送に移行しつつある近年、デジタルテレビ放送及びアナログテレビ放送を受信するテレビ放送受信装置が種々提案されている。
【０００３】
これらのテレビ放送受信装置は、概略、デジタル・アナログ共用のチューナ部により、受信チャンネルの選択に従ってデジタルテレビ放送又はアナログテレビ放送を受信し、デジタルテレビ放送の受信時は、前記チューナ部が出力する受信チャンネルのデジタル中間周波数出力をフロントエンド部によってトランスポートストリームのデジタルデータに復調し、復調したデジタルデータの画像圧縮を画像デコーダ部（ＭＰＥＧデコーダ部）により伸張してベースバンドのデジタル映像出力を再生する。又、アナログテレビ放送の受信時は、前記チューナ部が復調出力する受信チャンネルのアナログ映像出力をビデオデコーダ部によってデジタルデータに変換し、このデジタルデータを前記画像デコーダ部を通してベースバンドのデジタル映像出力を再生する。
【０００４】
そして、デジタルテレビ放送及びアナログテレビ放送の受信チャンネルの前記ベースバンドのデジタル映像出力は表示処理によって画像表示出力に加工されディスプレイ装置に画面表示される。
【０００５】
ところで、この種のテレビ放送受信装置においては、アナログテレビ放送受信時にデジタルテレビ放送の受信回路側の影響によって受信性能が劣化することが知られている。
【０００６】
具体的には、前記フロントエンド部の復調の動作ロックは例えば２５ＭＨｚ乃至５０ＭＨｚの基準クロックをてい倍して形成されるが、アナログテレビ放送の受信チャンネルによっては、前記動作クロックのＫ次（Ｋは１を含む整数）の高調波が受信チャンネルの映像搬送波周波数の近傍周波数になることがあり、このとき、前記高調波がチューナ部の復調出力のアナログ映像出力にノイズとして重畳し、アナログテレビ放送の受信性能が劣化する。
【０００７】
この受信性能の劣化を、回路部や信号ケーブルのシールドによって防止しようとすると、シールドケースやシールド板を要し、大型化すると共に高価になる。
【０００８】
そこで、アナログテレビ放送の受信時に、前記フロントエンド部等のデジタル復調の回路部全体を、給電停止して駆動停止したり、前記フロントエンド部及び後段のバックエンド部それぞれを形成する集積回路（ＩＣ）のリセット端子をマイクロコンピュータ（以下、「マイコン」という）で制御し、前記フロントエンド部及びバックエンド部それぞれの動作クロックの発振回路を停止し、かつ、デジタルテレビ放送の受信処理制御のスレーブマイコンも停止してアナログテレビ放送の受信処理をメインマイコンで制御し、シールドケースやシールド板を設けることなく、回路部の動作制御で前記受信性能の劣化を防止することが提案されている（例えば、特許文献１参照）。
【０００９】
【特許文献１】実用新案登録第３１１９１０１号公報（要約書、段落［０００７］−［００１３］、［００３４］−［００４４］、図１、図２、図３等）
【発明の開示】
【発明が解決しようとする課題】
【００１０】
前記特許文献１に記載のように、アナログテレビ放送の受信時に、デジタル復調の回路部全体の駆動を停止したり、前記フロントエンド部及びバックエンド部の両方の動作クロックの発振回路を停止し、かつ、受信処理制御のマイコンをデジタルテレビ放送のスレーブマイコンからメインマイコンに切り換えたりする場合は、回路動作の発停制御や切り換え制御等の受信処理の制御が極めて複雑になる問題がある。又、チャンネル選択に基づく受信処理するテレビ放送のアナログからデジタル、その逆の切り換えによって受信処理制御のマイコンをデジタルテレビ放送のスレーブマイコンからメインマイコン、その逆に切り換える場合、特にアナログテレビ放送の受信からデジタルテレビ放送の受信に切り換わったときには、デジタルテレビ放送の受信処理がマイコンのリセット状態からスタートするため、画面表示が始まるまでに時間がかかり、場合によってはデジタルテレビ放送のチャンネルを選択してからそのチャンネルの画面が表示されるまでに１０秒程度もの長時間を要する事態も生じ、ユーザーに不満を与える。
【００１１】
本発明は、アナログテレビ放送の受信からデジタルテレビ放送の受信に切り換わったときに短時間でデジタルテレビ放送の受信画面の表示を開始することができる構成により、受信処理の簡単な制御でアナログテレビ放送受信時にデジタルテレビ放送受信処理の動作クロックに起因した映像のノイズの影響を防止することを目的とする。
【課題を解決するための手段】
【００１２】
上記目的を達成するために、本発明のテレビ放送受信装置は、デジタルテレビ放送及びアナログテレビ放送を受信するテレビ放送受信装置において、デジタルテレビ放送及びアナログテレビ放送の受信選局機能を有し、受信チャンネルの選択に従ってデジタルテレビ放送又はアナログテレビ放送を受信するデジタル・アナログ共用のチューナ部と、デジタルテレビ放送の受信により前記チューナ部が出力する受信チャンネルのデジタル中間周波数出力をトランスポートストリームのデジタルデータに復調するフロントエンド部と、アナログテレビ放送の受信により前記チューナ部が復調出力する受信チャンネルのアナログ映像出力をデジタルデータに変換するビデオデコーダ部と、前記トランスポートストリームのデジタルデータ及び前記アナログ映像出力のデジタルデータの圧縮画像を伸張処理してベースバンドのデジタル映像出力を再生する画像デコーダ部と、前記各部の動作を制御する受信処理制御部とを備え、前記フロントエンド部が、発振形成した基準クロックをてい倍して前記デジタル中間周波数出力の復調の動作クロックを形成するクロック生成部を有し、かつ、前記受信処理制御部が、アナログテレビ放送の受信時に前記クロック生成部の前記動作クロックの形成を停止して前記フロントエンド部をスリープモードに制御するノイズ軽減制御手段を有することを特徴としている（請求項１）。
【００１３】
又、本発明のテレビ放送受信装置は、請求項１に記載のテレビ放送受信装置において、前記クロック生成部は、前記基準クロックの発振回路部と、前記基準クロックのてい倍回路部とを備え、前記ノイズ軽減制御手段は、アナログテレビ放送の受信時に前記発振回路部、前記てい倍回路部の少なくともいずれか一方を動作停止に制御することを特徴としている（請求項２）。
【００１４】
更に、本発明のテレビ放送受信装置は、請求項１又は２に記載のテレビ放送受信装置において、前記受信処理制御部に、アナログテレビ放送の受信時に前記動作クロックのＫ次（Ｋは１を含む整数）の周波数が受信チャンネルの映像搬送波周波数を含む一定周波数範囲の周波数か否かを判別する周波数判別手段と、前記Ｋ次の周波数が前記一定周波数範囲外の周波数のときに前記ノイズ軽減制御手段による前記動作クロックの形成の停止を禁止する停止制限手段とを更に設けたことを特徴としている（請求項３）。
【発明の効果】
【００１５】
請求項１の発明によれば、受信チャンネルの選択によってアナログテレビ放送を受信するときは、受信処理制御部がフロントエンド部に設けたクロック生成部の動作クロックを停止してフロントエンド部をスリープモードに制御する。
【００１６】
このとき、アナログテレビ放送の映像のノイズとなるのが、チューナ部の次段のフロントエンド部に設けたクロック生成部の周波数の高い動作クロックのＫ次高調波であるため、フロントエンド部の後段のバックエンド部等の動作クロックはアナログテレビ放送の映像にほとんど影響がなく、これらの動作クロックを停止しなくてもアナログテレビ放送の受信性能は劣化しない。
【００１７】
そのため、アナログテレビ放送の受信時、フロントエンド部に設けたクロック生成部の動作クロックを停止することで、チューナ部のアナログテレビ放送の映像出力にデジタルテレビ放送の受信処理の動作クロックに起因したノイズが重畳せず、シールドケースやシールド板を用いることなく、受信処理の制御でアナログテレビ放送の受信性能が向上する。
【００１８】
そして、アナログテレビ放送の受信時にデジタルテレビ放送をデジタル復調するフロントエンド部全体の駆動を停止するのでなく、その一部のクロック生成部の動作クロックの形成を停止してフロントエンド部をスリープモードに制御するのみであり、後段のバックエンド部等は動作クロックが停止することもないため、制御が簡単である。
【００１９】
しかも、アナログテレビ放送の受信時に上述した受信処理制御のマイコンのデジタルテレビ放送のスレーブマイコンからメインマイコンへの切り換えを行なわないので、受信チャンネルの選択等によって受信するテレビ放送がアナログテレビ放送からデジタルテレビ放送に切り換っても、マイコンのリセット等を行なうことなく直ちにデジタルテレビ放送の受信処理をスタートすることができ、デジタルテレビ放送の画面表示が始まるまでの時間が極めて短く、ユーザーに不満を与えることがない。
【００２０】
したがって、アナログテレビ放送の受信からデジタルテレビ放送の受信に切り換わったときに短時間でデジタルテレビ放送の受信画面の表示を開始することができる構成により、受信処理の簡単な制御でアナログテレビ放送受信時にデジタルテレビ放送受信処理の動作クロックに起因した映像のノイズの影響を防止することができる。
【００２１】
請求項２の発明によれば、クロック生成部が基準クロックの発振回路部と、基準クロックのてい倍回路部とを備えた構成であり、アナログテレビ放送の受信時、受信処理制御部のノイズ軽減制御手段により、前記発振回路部、前記てい倍回路部の少なくともいずれか一方を動作停止に制御する実用的な受信処理の制御によって請求項１の効果を奏することができる。
【００２２】
請求項３の発明によれば、アナログテレビ放送の受信時、受信チャンネルの映像搬送周波数に対して前記クロック生成部の動作クロックのＫ次の高調波がノイズとして影響しない場合には、停止制限手段の禁止制御によって前記クロック生成部の動作クロックの形成を継続するため、アナログテレビ放送の受信からデジタルテレビ放送の受信に切り換わったときに、極めて迅速にデジタルテレビ放送の受信処理を開始して一層短時間にデジタルテレビ放送の受信画面の表示を開始できる利点を更に備えることができる。
【発明を実施するための最良の形態】
【００２３】
本発明をより詳細に説明するため、その一実施形態について、図１〜図３にしたがって詳述する。
【００２４】
図１は本発明が適用されるテレビ放送受信装置１の回路ブロックを示し、図２はその受信処理制御のフローチャート、図３はテレビ放送の信号波形の一例を示し、同図（ａ）はデジタルテレビ放送の信号特性例、同図（ｂ）はアナログテレビ放送の信号特性例である。
【００２５】
（構成）
図１のテレビ放送受信装置１において、２はデジタルテレビ放送及びアナログテレビ放送の受信選局機能を有するデジタル・アナログ共用のチューナ部であり、周知のチューナＩＣからなり、アンテナ受信又はケーブル入力のＲＦ信号から受信チャンネルの選択に従ってデジタルテレビ放送又はアナログテレビ放送の選択されたチャンネルを受信し、デジタルテレビ放送の受信時は選択された受信チャンネルのデジタル中間周波数出力であるデジタルＩＦ信号を受信復調出力し、アナログテレビ放送の受信時は選択された受信チャンネルのアナログ映像出力であるアナログ複合映像信号を受信復調出力する。
【００２６】
３はチューナ部２の後段の受信処理部であり、デジタル放送信号ＩＣからなり、フロントエンド部３ａ、ビデオデコーダ部３ｂ、ＭＰＥＧデコーダ部３ｃ及びサブマイコン３ｄを有する。
【００２７】
そして、フロントエンド部３ａはチューナ部２の次段回路部であり、チューナ部２の前記デジタルＩＦ信号が入力され、周知のフロントエンド部と同様に動作し、デジタルテレビ放送の前記デジタルＩＦ信号を周知のトランスポートストリーム（ＴＳ）のデジタルデータにデジタル復調する。
【００２８】
又、ビデオデコーダ部３ｂもチューナ部２の次段回路部であり、チューナ部２の前記アナログ複合映像信号が入力され、周知のビデオレコーダと同様に動作し、アナログテレビ放送の前記アナログ複合映像信号をＡ／Ｄ変換してデジタルデータに変換する。
【００２９】
ＭＰＥＧデコーダ部３ｃは本発明の画像デコーダ部を形成し、周知のＭＰＥＧデコーダと同様に動作し、フロントエンド部３ａのトランスポートストリームのデジタルデータ及びビデオデコーダ部３ｂのアナログ映像出力のデジタルデータの圧縮画像を伸張処理してベースバンドのデジタル映像出力を再生し、バックエンド部に相当する。
【００３０】
更に、サブマイコン３ｄは本発明の受信処理制御部を形成し、受信処理部３内において、図中の破線矢印線に示すようにフロントエンド部３ａ、ビデオデコーダ部３ｂ、ＭＰＥＧデコーダ部３ｃの動作を制御し、又、ＩＩＣ（Ｉｎｔｅｒ  ＩＣ  Ｃｏｎｔｒｏｌｌｅｒ）の通信バスを介してチューナ部２の動作を制御する。
【００３１】
ところで、フロントエンド部３ａはクロック生成部４を有し、該クロック生成部４は
水晶発振回路構成の発振回路部４ａとてい倍回路部４ｂとを設けて形成される。
【００３２】
そして、発振回路部４ａが自走発振形成した基準クロックをてい倍回路部４ｂにより設定てい倍数だけてい倍して前記デジタル中間周波数出力の復調の動作クロックを形成する。
【００３３】
一方、サブマイコン３ｄはテレビ放送受信装置１の全体動作の制御を行なうメインマイコン５により通信バスを介して動作制御されて各種制御プログラムを実行し、各部２、３ａ〜３ｃを制御する。
【００３４】
そして、サブマイコン３ｄは図２のステップＳ１〜Ｓ８のフロントエンド部クロック制御のプログラムを実行し、そのソフトウエア処理で形成される本発明のノイズ軽減制御手段、周波数判別手段及び停止制限手段を有する。
【００３５】
前記ノイズ軽減制御手段は、基本的にはアナログテレビ放送の受信時にクロック生成部４の動作クロックの形成を停止してフロントエンド部３ａをスリープモードに制御する手段であるが、本実施形態の場合、アナログテレビ放送の受信時に発振回路部４ａ、てい倍回路部４ｂの少なくともいずれか一方をリセットホールド又は給電停止によって動作停止に制御する実用的な構成の手段である。
【００３６】
前記周波数判別手段は、アナログテレビ放送の受信時に前記動作クロックのＫ次（Ｋは１乃至設定次数の整数）の高調波の周波数が受信チャンネルの映像搬送波周波数を含む一定周波数範囲の周波数か否かを判別する手段である。
【００３７】
前記停止制限手段は、前記Ｋ次の周波数が前記一定周波数範囲外の周波数のときにノイズ軽減制御手段に制御禁止を指令して前記動作クロックの形成の停止を禁止し、チューナ部２のアナログテレビ放送の映像出力に前記動作クロックの高調波が重畳する虞がない時には、クロック生成部４の動作を止めないようにする。
【００３８】
次に、図１の６は受信処理部３の後段の表示出力処理部であり、メインマイコン５の表示制御に基づき、ＭＰＥＧデコーダ部３ｃから出力された受信チャンネルのデジタル映像出力を画面表示信号に変換して出力する。７は表示出力処理部６に接続されたディスプレイ装置であり、例えば液晶ディスプレイ、プラズマディスプレイ又はＣＲＴからなり、前記画面表示信号の入力に基づき、受信チャンネルのデジタルテレビ放送又はアナログテレビ放送の受信チャンネルの映像を画面表示する。
【００３９】
尚、図１においては音声の回路ブロック等は省略している。又、デジタルテレビ放送については、ＭＰＥＧデコーダ３ｃの画像メモリ（図示せず）に画像データをある程度蓄積してからデジタル映像出力を再生出力するため、チャンネル切り換え等によってデジタルテレビ放送の受信を開始したときには、その再生画面が表示されるまでに多少の時間がかかる。
【００４０】
次に、前記周波数判別手段が判断する一定周波数範囲について説明する。
【００４１】
まず、デジタルテレビ放送、アナログテレビ放送の各チャンネルの信号周波数特性は図３に示すようになっている。
【００４２】
図３（ａ）はわが国や米国のデジタルテレビ放送の１チャンネル分の周波数特性であり、デジタルテレビ放送にあっては、６ＭＨｚのチャンネル帯域幅に５．６ＭＨｚのデジタル信号帯域が存在する。図中のＦｃはチャンネル帯域の中心周波数、ＦＷ（Ｌ）、ＦＷ（Ｈ）はチャンネル帯域の下限、上限の周波数である。
【００４３】
図３（ｂ）はわが国や米国のＮＴＳＣ方式のアナログテレビ放送の１チャンネル分の周波数特性であり、６ＭＨｚのチャンネル帯域幅に映像領域ｖと音声領域ｓが含まれる。尚、図中のＦｃ、ＦＷ（Ｌ）、ＦＷ（Ｈ）はチャンネル帯域の中心周波数、下限、上限の周波数であり、Ｆｐは映像搬送波周波数、Ｆｓは音声搬送波周波数である。
【００４４】
そして、アナログ映像は上測波帯AM変調方式で伝送されるので、前記ＮＴＳＣ方式では映像搬送波周波数Ｆｐに対して、（Ｆｐ−１．２５ＭＨｚ）乃至（Ｆｐ＋４．５ＭＨｚ）が映像領域ｖであり、この領域ｖに妨害波ノイズが混入（重畳）すると、そのノイズがそのまま画面表示された映像にビートノイズとして現れる。
【００４５】
そこで、わが国や米国のＮＴＳＣ方式のアナログテレビ放送を受信する場合、前記一定周波数範囲は、映像領域ｖをカバーするように、多少の余裕を持たせて、例えば（Ｆｐ−２ＭＨｚ）乃至（Ｆｐ＋５ＭＨｚ）に設定される。
【００４６】
そして、フロントエンド部の動作クロックの高調波が（Ｆｐ−２ＭＨｚ）乃至（Ｆｐ＋５ＭＨｚ）の範囲内の周波数になるチャンネルのアナルログテレビ放送を受信するときのみ、フロントエンド部をスリープモードに移行させて動作クロックの高調波が発生しないようにする。
【００４７】
（動作）
次に、図１、図２を参照して、テレビ放送受信装置１の動作を説明する。
【００４８】
まず、電源の投入によって、メインマイコン５がサブマイコン３ｄ等を起動し、サブマイコン３ｄの動作制御によって、チューナ部２、受信処理部３が受信待機の状態になる。
【００４９】
そして、ユーザーによってチャンネル選択が行なわれると、このチャンネル選択に基づいて、基本的に次のように動作する。
【００５０】
デジタルテレビ放送のチャンネルが選択されたときは、チューナ部２が受信チャンネルのデジタルＩＦ信号をフロントエンド部３ａに出力する。このとき、フロントエンド部３ａにおいては、サブマイコン３ｄによってクロック生成部４が動作しており、発振回路部４ａの基準クロックをてい倍回路部４ｂでてい倍して形成された動作クロックに基づき、デジタルＩＦ信号がトランスポートストリームのデジタルデータにデジタル復調される。
【００５１】
そして、フロントエンド部３ａのトランスポートストリームのデジタルデータに、ＭＰＥＧデコーダー部３ｃの圧縮画像の伸張処理が施され、ベースバンドのデジタル映像出力が形成され、このデジタル映像出力に基づく表示出力処理部６の画面表示信号により、ディスプレイ装置７に受信チャンネルのデジタルテレビ放送の映像が画面表示される。
【００５２】
又、アナログテレビ放送のチャンネルが選択されたときは、チューナ部２が受信チャンネルのアナログ複合映像信号をビデオデコーダ３ｂに送ってデジタルデータに変換する。
【００５３】
そして、ビデオデコーダ３ｂのデジタルデータに、ＭＰＥＧデコーダ部３ｃの圧縮画像の伸張処理が施され、ベースバンドのデジタル映像出力が形成され、このデジタル映像出力に基づく表示出力処理部６の画面表示信号により、ディスプレイ装置７に受信チャンネルのアナログテレビ放送の映像が画面表示される。
【００５４】
ところで、本実施形態においては、アナログテレビ放送の受信中にもフロントエンド部３aを除く受信処理部３の各部３ｂ、３ｃは給電駆動されて動作状態に保持される。又、フロントエンド部３ａのクロック生成部４を除く回路部も給電駆動されて動作状態に保持される。更に、サブマイコン３ｄは常時受信処理の制御を継続する。
【００５５】
そして、サブマイコン３ｄが図２のフロントエンドクロック制御のプログラムをくり返し実行することにより、フロントエンド部３aのクロック生成部４の動作クロックの形成がオン、オフされる。
【００５６】
すなわち、サブマイコン３ｄは図２のステップＳ１によりチャンネルプリセットが選択されたか否かを判別する。
【００５７】
そして、チャンネルプリセットによって全受信範囲の各チャンネルを昇順や降順で受信選局してサーチするときは、受信チャンネルがデジタルテレビ放送のチャンネルからアナログテレビ放送のチャンネル、その逆に頻繁に切り換わるので、その度にクロック生成部４の動作クロックの形成をオン、オフすると、制御が煩雑になる。そのため、チャンネルプリセットが選択されたときには、ステップＳ１の判別に基づき、クロック生成部４の動作クロックの形成のオン、オフは行なわないようにする。
【００５８】
一方、チャンネルプリセットが行なわれない通常時は、ステップＳ１からステップＳ２に移行して受信チャンネルの切り換えの発生を監視する。
【００５９】
そして、受信チャンネルの切り換えが発生すると、ステップＳ２かステップＳ３に移行し、ステップＳ３、Ｓ４によって、デジタルテレビ放送のチャンネルからアナログテレビ放送のチャンネルへの切り換えか、その逆の切り換えかを判別する。この判別は、具体的には、サブマイコン３ｄからメインマイコン５のデジタルテレビ放送、アナログテレビ放送の別のプリセットメモリ（図示せず）を参照し、チャンネルプリセットによって両プリセットメモリに書き込まれたデジタルテレビ放送、アナログテレビ放送それぞれのチャンネル情報に基づき、チャンネル切り換え前、後の受信チャンネルのデジタル、アナログの別から行なう。
【００６０】
このとき、デジタルテレビ放送のチャンネルからアナログテレビ放送のチャンネルへの切り換えであれば、ステップＳ３から無条件にステップＳ６に移行し、ノイズ軽減制御手段の制御によって発振回路部４ａ、てい倍回路部４ｂの少なくともいずれか一方を動作停止に制御してフロントエンド部３ａをスリープモードに制御してもよいが、本実施形態においては、ステップＳ３からステップＳ５に移行し、周波数判別手段によってクロック生成部４の動作クロックの高調波が受信チャンネルの映像搬送波周波数Ｆｐに基づく前記一定周波数範囲内か否かを判別する。
【００６１】
そして、クロック生成部４の動作クロックの高調波が前記一定周波数範囲内の周波数であれば、動作クロックの高調波がアナログテレビ放送の映像にノイズとして重畳する虞があるので、ステップＳ５からステップＳ６に移行し、前記したように、ノイズ軽減制御手段の制御によって発振回路部４ａ、てい倍回路部４ｂの少なくともいずれか一方を動作停止に制御してフロントエンド部３ａをスリープモードに制御し、動作クロックの高調波が発生しないようにする。
【００６２】
又、アナログテレビ放送のチャンネルからデジタルテレビ放送のチャンネルへの切り換えであれば、ステップＳ４からステップＳ７に移行してフロントエンド部３ａがスリープモードに制御されているか否かを判断し、スリープモードに制御されていれば、ステップＳ８に移行し、発振回路部４ａ、てい倍回路部４ｂの動作停止を解除してクロック生成部４の動作クロックの形成を再開し、フロントエンド部３ａのスリープモードを解除する。
【００６３】
したがって、本実施形態の場合、アナログテレビ放送の受信時、フロントエンド部３ａに設けたクロック生成部４の動作クロックを停止し、チューナ部２のアナログテレビ放送の映像出力にデジタルテレビ放送の受信処理の動作クロックに起因したノイズが重畳しないようにしてアナログテレビ放送の受信性能を向上することができる。
【００６４】
そして、アナログテレビ放送の受信時にフロントエンド部３ａ全体の駆動を停止するのでなく、その一部のクロック生成部４の動作クロックの形成を停止してフロントエンド部３ａをスリープモードに制御するのみであり、後段のバックエンド部に相当するＭＰＥＧデコーダ部３ｃ等は動作クロックが停止することもないため、制御が簡単である。
【００６５】
しかも、アナログテレビ放送の受信時に受信処理制御のマイコンをサブマイコン３ｄからメインマイコン５に切り換えたりしないので、受信するテレビ放送がアナログテレビ放送からデジタルテレビ放送に切り換っても、サブマイコン３ｄのリセット等を行なうことなく直ちにデジタルテレビ放送の受信処理をスタートすることができ、デジタルテレビ放送の画面表示が始まるまでの時間が極めて短く、ユーザーに不満を与えることがない。
【００６６】
したがって、アナログテレビ放送の受信からデジタルテレビ放送の受信に切り換わったときに短時間でデジタルテレビ放送の受信画面の表示を開始することができる構成により、受信処理の簡単な制御でアナログテレビ放送受信時にデジタルテレビ放送受信処理の動作クロックに起因した映像のノイズの影響を防止することができる。
【００６７】
その上、サブマイコン３ｄの周波数判別手段、停止制限手段により、アナログテレビ放送の受信時、受信チャンネルの映像搬送周波数に対してクロック生成部４の動作クロックの高調波がノイズとして影響しない場合には、クロック生成部４の動作クロックの形成を継続してフロントエンド部３ａをスリープモードに移行しないようにしたので、アナログテレビ放送の受信からデジタルテレビ放送の受信に切り換わったときに、極めて迅速にデジタルテレビ放送の受信処理を開始して一層短時間にデジタルテレビ放送の受信画面の表示を開始でき、デジタルテレビ放送の受信性能も向上することができる。
【００６８】
そして、本発明は上記した実施形態に限定されるものではなく、その趣旨を逸脱しない範囲において上述したもの以外に種々の変形実施を行なうことが可能であり、例えば、前記周波数判別手段の判別基準となる一定周波数範囲は、アナログテレビ放送の放送方式によって異なる信号周波数特性等を考慮して適当に設定すればよい。
【００６９】
又、受信処理部３等の構成が実施形態と異なっていてもよいのは勿論である。この場合、受信処理部３内の各部３ａ〜３ｃ等はハードウエア回路で形成されていてもよく、又、ソフトウエア回路で形成されていてもよい。
【００７０】
更に、本発明は、種々の方式のデジタルテレビ放送及びアナログテレビ放送を受信するテレビ放送受信装置に適用することができる。
【００７１】
そして、テレビ放送受信装置は、単体の受信機構成及び記録再生装置等に内蔵される構成等であってよく、内蔵される構成の場合は、図１のディスプレイ装置７等は省かれる。
【図面の簡単な説明】
【００７２】
【図１】本発明の一実施形態のテレビ放送受信装置のブロック図である。
【図２】同上、テレビ放送受信装置の動作説明用のフローチャートである。
【図３】同上、テレビ放送の信号波形の一例を示し、同図（ａ）はデジタルテレビ放送の信号特性例、同図（ｂ）はアナログテレビ放送の信号特性例である。
【符号の説明】
【００７３】
２    チューナ部
３ａ    フロントエンド部
３ｂ    ビデオデコーダ部
３ｃ    ＭＰＥＧデコーダ部
３ｄ    サブマイコン
４    クロック生成部
４ａ    発振回路部
４ｂ    てい倍回路部
【図１】
2008135973.tif 000003
【図２】
2008135973.tif 000004
【図３】
2008135973.tif 000005